(57)【要約】【課題】ノイズが発生しても元の音声情報に影響を与えることなく、ノイズのみを除去可能にする。【解決手段】入力される受信信号と、局部発振器１２が発生するローカル信号とを混合処理してベースバンド帯に周波数変換する周波数混合器１１と、周波数混合器１１の出力を包絡線復調する包絡線復調部１３と、周波数混合器１１の出力を片側波復調によって上側波のみを復調する上側波復調部１４と、周波数混合器１１の出力を片側波復調によって下側波のみを復調する下側波復調部１５と、包絡線復調部１３の出力と上側波復調部１４の出力の反転出力とを加算する加算器１６と、包絡線復調部１３の出力と下側波復調部１５の出力の反転出力とを加算する加算器１７と、包絡線復調部１３の出力と、加算器１６の出力の反転出力と、加算器１７の出力の反転出力とを加算し、復調信号として出力する加算器１８と、を有する。【選択図】図１
2019176447.tif 000002
【特許請求の範囲】
【請求項１】
入力される受信信号と、局部発振器が発生するローカル信号とを混合処理してベースバンド帯に周波数変換する周波数混合器と、
前記周波数混合器の出力を包絡線復調する包絡線復調部と、
前記周波数混合器の出力を片側波復調によって上側波のみを復調する上側波復調部と、
前記周波数混合器の出力を片側波復調によって下側波のみを復調する下側波復調部と、
前記包絡線復調部の出力と、前記上側波復調部の出力の反転出力とを加算する第１の加算器と、
前記包絡線復調部の出力と、前記下側波復調部の出力の反転出力とを加算する第２の加算器と、
前記包絡線復調部の出力と、前記第１の加算器の出力の反転出力と、前記第２の加算器の出力の反転出力とを加算し、復調信号として出力する第３の加算器と、
を有する受信装置。
【請求項２】
電波の受信信号を入力する受信信号入力部と、前記受信信号の復調処理を行う復調処理部と、前記復調処理後の信号を音声出力する音声信号出力部と、を有する受信システムであって、
前記受信信号入力部は、希望波の電波を受信するアンテナと、前記受信した信号を増幅する入力信号増幅部と、を有し、
前記音声信号出力部は、前記復調処理後の信号を増幅する出力信号増幅部と、前記増幅した信号を音声信号として出力する音声出力デバイスと、を有し、
前記復調処理部は、
前記受信信号入力部から入力される受信信号と、局部発振器が発生するローカル信号とを混合処理してベースバンド帯に周波数変換する周波数混合器と、
前記周波数混合器の出力を包絡線復調する包絡線復調部と、
前記周波数混合器の出力を片側波復調によって上側波のみを復調する上側波復調部と、
前記周波数混合器の出力を片側波復調によって下側波のみを復調する下側波復調部と、
前記包絡線復調部の出力と、前記上側波復調部の出力の反転出力とを加算する第１の加算器と、
前記包絡線復調部の出力と、前記下側波復調部の出力の反転出力とを加算する第２の加算器と、
前記包絡線復調部の出力と、前記第１の加算器の出力の反転出力と、前記第２の加算器の出力の反転出力とを加算し、復調信号として出力する第３の加算器と、
を有する、
受信システム。
【請求項３】
入力される受信信号と、局部発振器が発生するローカル信号とを周波数混合器により混合処理してベースバンド帯に周波数変換し、
前記周波数混合器の出力を包絡線復調部により包絡線復調し、
前記周波数混合器の出力を上側波復調部により上側波のみを片側波復調によって復調し、
前記周波数混合器の出力を下側波復調部により下側波のみを片側波復調によって復調し、
前記包絡線復調部の出力と、前記上側波復調部の出力の反転出力とを第１の加算器により加算し、
前記包絡線復調部の出力と、前記下側波復調部の出力の反転出力とを第２の加算器により加算し、
前記包絡線復調部の出力と、前記第１の加算器の出力の反転出力と、前記第２の加算器の出力の反転出力とを第３の加算器により加算し、復調信号として出力する、
受信方法。
【発明の詳細な説明】
【技術分野】
【０００１】
本開示は、ＡＭの放送波等の無線信号を受信する受信装置、受信方法、及び受信システムに関する。
【背景技術】
【０００２】
例えば、車載のラジオ受信機等の受信装置では、他の電子機器から輻射されたノイズの影響を低減するために、フィルタ、ノイズキャンセラなどのノイズ対策用の部品や回路を搭載する等の方法が採られている。車載ＡＭラジオ受信機においては、希望波の放送局からの放送波信号以外の干渉波成分による妨害が、従来より課題としてある。ＡＭ放送は周波数が低いため、発電機や送電線、車載機器からの不要輻射など、様々なノイズによる干渉を受ける。車載ＡＭラジオ受信機において、主に車両搭載モータやインバータなど車の電子機器から輻射されたノイズがラジオアンテナに混入し、ラジオ放送の放送波に干渉すると、受信信号を復調したラジオの音声信号に雑音が入り、耳ざわりな音になり不快である。
【０００３】
図３は、ＡＭラジオ受信機におけるノイズ混入時の動作を説明する図である。アンテナにより受信されたＡＭラジオの放送波信号は、ＡＤコンバータ（ＡＤＣ：Analog to Digital Converter）５０１に入力され、ＲＦ（無線周波数帯）の受信デジタル信号に変換される。受信デジタル信号は、周波数混合器（Ｍｉｘｅｒ）５０２に入力され、周波数混合器５０２において、局部発振器（ＬＯ：Local Oscillator）５０３より出力される受信放送波と同じ周波数のローカル信号と乗算され、０Ｈｚ（ベースバンド帯）の受信ベースバンド信号に変換される。受信ベースバンド信号は、ＡＭ復調器５０４に入力され、例えば包絡線検波器による包絡線検波によって復調された後、ＤＡコンバータ（ＤＡＣ：Digital to Analog Converter）５０５に入力され、アナログ信号に変換されてラジオ放送の音声信号として出力される。
【０００４】
オルタネータやワイパーのモータ等から発生するビートノイズのように、周期性を持ったパルス性の狭帯域ノイズの周波数が受信放送周波数に近い場合、受信放送の搬送波周波数との差分周波数成分が音声信号として復調されてしまう。図３の例では、ＡＭ放送波に２種類のビートノイズＢ１、Ｂ２が重畳されている場合を示している。ノイズが混入していない場合は、受信信号の復調後のＤＡコンバータ５０５の出力信号として音声信号Ｓが出力される。ビートノイズが重畳している場合、ＡＭ復調器５０４の出力にビートノイズ成分が混在し、出力信号としては（Ｓ＋Ｂ１＋Ｂ２）が出力される。
【０００５】
従来、この種のノイズを軽減する技術として、入力としてパルス性ノイズを含む音声信号が供給され、制御信号にてオン、オフ制御され、パルス性ノイズの期間にオフして、パルス性ノイズを阻止した音声信号を出力するアナログスイッチ回路と、このアナログスイッチ回路に接続され、アナログスイッチ回路のオフ期間に、オフする直前の電圧を補間電圧として保持し、アナログスイッチ回路からの音声信号をノイズ補間する電圧保持回路とを備えたノイズキャンセラが知られている（例えば、特許文献１参照）。また、ＡＭノイズキャンセラを多機能チューナＩＣに搭載し、ＡＭラジオ受信時に最も耳障りとなる弱電界でのパルス性ノイズの除去性能に的を絞り、ＡＭラジオのノイズを除去するものも知られている（例えば、非特許文献１参照）。
【０００６】
これらの従来技術では、図４に示すように、ＡＭラジオの受信波に混入するビートノイズ等の短い周期のパルス性ノイズを、所定の周波数及び振幅の閾値によって高域成分をカットし、直線補完することにより、耳障りなノイズを除去していた。
【先行技術文献】
【特許文献】
【０００７】
【特許文献１】特開平３−２３８９２９号公報
【非特許文献】
【０００８】
【非特許文献１】富士通テン技法３３号、１９９８年４月発行、P.１２−２２
【発明の概要】
【発明が解決しようとする課題】
【０００９】
最近では、車両の電動化に伴い、モータ駆動時のＰＷＭ信号等、ノイズ源が増加し、ノイズ対策の重要度が増しており、ノイズ除去性能の要求も高まっている。上記従来技術においてノイズ除去効果を大きくするには、ノイズ除去のための閾値を下げる必要がある。この場合、閾値の振幅レベルや周波数の誤差により、副作用としてノイズと共に音声成分もカットされることがあり、音声信号に歪が生じ、高調波成分が発生する。このため、受信した音声信号に音声情報欠損が生じ、歪感やブツブツ音が発生し音質が劣化してしまうという課題があった。
【００１０】
本開示は、上述した従来の事情に鑑みて案出され、ノイズが発生しても元の音声情報に影響を与えることなく、ノイズのみを除去することができる受信装置、受信方法、及び受信システムを提供することを目的とする。
【課題を解決するための手段】
【００１１】
本開示は、入力される受信信号と、局部発振器が発生するローカル信号とを混合処理してベースバンド帯に周波数変換する周波数混合器と、前記周波数混合器の出力を包絡線復調する包絡線復調部と、前記周波数混合器の出力を片側波復調によって上側波のみを復調する上側波復調部と、前記周波数混合器の出力を片側波復調によって下側波のみを復調する下側波復調部と、前記包絡線復調部の出力と、前記上側波復調部の出力の反転出力とを加算する第１の加算器と、前記包絡線復調部の出力と、前記下側波復調部の出力の反転出力とを加算する第２の加算器と、前記包絡線復調部の出力と、前記第１の加算器の出力の反転出力と、前記第２の加算器の出力の反転出力とを加算し、復調信号として出力する第３の加算器と、を有する受信装置を提供する。
【００１２】
また、本開示は、電波の受信信号を入力する受信信号入力部と、前記受信信号の復調処理を行う復調処理部と、前記復調処理後の信号を音声出力する音声信号出力部と、を有する受信システムであって、前記受信信号入力部は、希望波の電波を受信するアンテナと、前記受信した信号を増幅する入力信号増幅部と、を有し、前記音声信号出力部は、前記復調処理後の信号を増幅する出力信号増幅部と、前記増幅した信号を音声信号として出力する音声出力デバイスと、を有し、前記復調処理部は、前記受信信号入力部から入力される受信信号と、局部発振器が発生するローカル信号とを混合処理してベースバンド帯に周波数変換する周波数混合器と、前記周波数混合器の出力を包絡線復調する包絡線復調部と、前記周波数混合器の出力を片側波復調によって上側波のみを復調する上側波復調部と、前記周波数混合器の出力を片側波復調によって下側波のみを復調する下側波復調部と、前記包絡線復調部の出力と、前記上側波復調部の出力の反転出力とを加算する第１の加算器と、前記包絡線復調部の出力と、前記下側波復調部の出力の反転出力とを加算する第２の加算器と、前記包絡線復調部の出力と、前記第１の加算器の出力の反転出力と、前記第２の加算器の出力の反転出力とを加算し、復調信号として出力する第３の加算器と、を有する、受信システムを提供する。
【００１３】
また、本開示は、入力される受信信号と、局部発振器が発生するローカル信号とを周波数混合器により混合処理してベースバンド帯に周波数変換し、前記周波数混合器の出力を包絡線復調部により包絡線復調し、前記周波数混合器の出力を上側波復調部により上側波のみを片側波復調によって復調し、前記周波数混合器の出力を下側波復調部により下側波のみを片側波復調によって復調し、前記包絡線復調部の出力と、前記上側波復調部の出力の反転出力とを第１の加算器により加算し、前記包絡線復調部の出力と、前記下側波復調部の出力の反転出力とを第２の加算器により加算し、前記包絡線復調部の出力と、前記第１の加算器の出力の反転出力と、前記第２の加算器の出力の反転出力とを第３の加算器により加算し、復調信号として出力する、受信方法を提供する。
【発明の効果】
【００１４】
本開示によれば、ノイズが発生しても元の音声情報に影響を与えることなく、ノイズのみを除去することができる。
【図面の簡単な説明】
【００１５】
【図１】実施の形態に係る受信装置及び受信システムの構成を示すブロック図
【図２】実施の形態に係る受信装置の動作を説明する図
【図３】ＡＭラジオ受信機におけるノイズ混入時の動作を説明する図
【図４】従来技術におけるノイズキャンセル動作を説明する波形図
【発明を実施するための形態】
【００１６】
以下、適宜図面を参照しながら、本開示に係る受信装置、受信方法、及び受信システムを具体的に開示した各実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１７】
本実施の形態では、本開示に係る受信装置、受信方法、及び受信システムの一例として、例えば車両に搭載されるＡＭラジオ受信機に適用可能な構成例を示す。
【００１８】
図１は、実施の形態に係る受信装置及び受信システムの構成を示すブロック図である。本実施の形態の受信装置は、ＡＭラジオ放送等の無線信号を復調する復調処理部１０を有する。本実施の形態の受信システムは、受信信号入力部として、アンテナ３１、増幅部３２、ＡＤコンバータ（ＡＤＣ：Analog to Digital Converter）３３を有する。また、受信システムは、音声信号出力部として、ＤＡコンバータ（ＤＡＣ：Digital to Analog Converter）３４、増幅部３５、スピーカ３６を有する。
【００１９】
アンテナ３１は、ＡＭラジオ放送等の無線信号を受信する。増幅部３２は、入力信号増幅部の一例であり、ＲＦ（無線周波数帯）の受信信号を増幅する増幅器を含む。ＡＤコンバータ３３は、ＲＦの受信信号をアナログ信号からデジタル信号に変換し、復調処理部１０に入力する。なお、受信信号入力部は、希望波の電波の受信信号を入力する入力インタフェース等によって構成してもよい。
【００２０】
ＤＡコンバータ３４は、復調処理部１０より出力されるデジタル信号の復調信号をアナログ信号に変換する。増幅部３５は、出力信号増幅部の一例であり、復調信号をアナログ信号に変換した音声信号を増幅する増幅器を含む。スピーカ３６は、音声出力デバイスの一例であり、音声信号を再生出力し、ＡＭラジオ放送等の音声を再生する。音声出力デバイスは、スピーカ３６に限定されず、ヘッドホン、イヤホン、ヘッドセットなど、種々のデバイスを用いてもよい。なお、音声信号出力部は、復調信号の音声信号を出力する出力インタフェース等によって構成してもよい。
【００２１】
復調処理部１０は、周波数混合器（Ｍｉｘｅｒ）１１、局部発振器（ＬＯ：Local Oscillator）１２、包絡線復調部（ＡＭ  ＤＥＭ）１３、上側波復調部（ＵＳＢ  ＤＥＭ）１４、下側波復調部（ＬＳＢ  ＤＥＭ）１５、加算器１６、１７、１８、反転回路２１、２２、２３、２４を有する。復調処理部１０は、各部の処理を実行する信号処理回路を搭載した集積回路等のハードウェアによって構成してもよいし、少なくとも一部をＤＳＰ（Digital Signal Processor）等のプロセッサ及びプロセッサを動作させるソフトウェアプログラムによって実現することも可能である。
【００２２】
局部発振器１２は、例えばＮＣＯ（Numerical Controlled Oscillator、数値制御発振器）等による発振器を有して構成され、ＲＦの受信信号の搬送波周波数と同じ周波数のローカル信号を発生する。周波数混合器１１は、ＡＤコンバータ３３から入力されるＲＦのデジタル信号の受信信号（受信デジタル信号）と、局部発振器１２から出力されるローカル信号とを乗算して混合処理し、受信デジタル信号をベースバンド帯の受信信号（受信ベースバンド信号）に周波数変換する。ベースバンド帯の受信信号は、包絡線復調部１３、上側波復調部１４、下側波復調部１５にそれぞれ入力される。
【００２３】
包絡線復調部１３は、例えば包絡線検波器等の復調回路を有し、いわゆるＡＭ復調部を構成するものであり、包絡線検波によって受信信号を復調する。上側波復調部１４は、例えばＳＳＢ（Single Side Band：単側波）復調回路を有し、ＳＳＢの同期復調によって受信信号の上側波のみを復調する。上側波復調部１４は、搬送波に同期させた同期信号となるクロック信号を受信信号に乗算し、９０度移相器によって位相を９０度ずらすことにより、上側波のみを抽出して復調する。下側波復調部１５は、例えばＳＳＢ復調回路を有し、ＳＳＢの同期復調によって受信信号の下側波のみを復調する。下側波復調部１５は、搬送波に同期させた同期信号となるクロック信号を受信信号に乗算し、９０度移相器によって上側波復調部１４とは反対方向に位相を９０度ずらすことにより、下側波のみを抽出して復調する。
【００２４】
反転回路２１、２２、２３、２４は、例えば位相反転器を有し、入力信号の位相を反転させることによって信号の極性＋−を反転させる。反転回路２１は、上側波復調部１４の出力を反転させる。反転回路２３は、下側波復調部１５の出力を反転させる。
【００２５】
加算器１６は、第１の加算器の一例であり、包絡線復調部１３の出力と反転回路２１の出力とを入力して加算する。すなわち、加算器１６は、包絡線復調部１３の出力と上側波復調部１４の反転出力とを加算する。加算器１７は、第２の加算器の一例であり、包絡線復調部１３の出力と反転回路２３の出力とを入力して加算する。すなわち、加算器１７は、包絡線復調部１３の出力と下側波復調部１５の反転出力とを加算する。反転回路２２は、加算器１６の出力を反転させる。反転回路２４は、加算器１７の出力を反転させる。加算器１８は、第３の加算器の一例であり、包絡線復調部１３の出力と反転回路２２の出力と反転回路２４の出力とを入力して加算し、復調信号として出力する。
【００２６】
図２は、実施の形態に係る受信装置の動作を説明する図である。図２を用いて、本実施の形態の受信装置の動作、並びに受信方法の手順を説明する。ここでは、無線信号にビートノイズが混入し、アンテナ３１にて受信した受信波入力の受信信号において、２種類のビートノイズＢ１、Ｂ２が重畳されている場合の動作を示す。図示例の場合、ビートノイズＢ１が下側波に、ビートノイズＢ２が上側波にそれぞれ混入している。
【００２７】
本実施の形態では、周波数混合器１１の出力部において、包絡線復調部１３と共に上側波復調部１４及び下側波復調部１５を追加して設け、上側波復調部１４及び下側波復調部１５の出力を包絡線復調部１３の出力から減算するための加算器１６、１７、１８及び反転回路２１、２２、２３、２４を設けている。
【００２８】
希望波としてのＡＭ放送波の無線信号は、周波数軸上で搬送波信号に対して上側波と下側波とが対称なスペクトラムとなるが、ノイズを含む無線信号の場合は、信号のスペクトラムが上側波と下側波とで対称ではなくなる。本実施の形態では、上側波と下側波とで非対称となっている成分を抽出することによって、ノイズ成分を抽出する。そして、無線信号の包絡線復調信号からノイズ成分を減算することにより、ノイズ成分のみをキャンセルする。
【００２９】
包絡線復調部（ＡＭ  ＤＥＭ）１３による受信信号の包絡線復調において、上側波、下側波にそれぞれ含まれるノイズが希望波の放送波とともに復調され、ノイズを含む復調信号が出力される。このため、包絡線復調部１３による包絡線復調の信号Ｄ１は、両側波を復調した音声信号ＳにビートノイズＢ１及びビートノイズＢ２を重畳したものとなり、包絡線復調部１３からは信号Ｄ１＝（Ｓ＋Ｂ１＋Ｂ２）が出力される。
【００３０】
上側波復調部（ＵＳＢ  ＤＥＭ）１４による上側波復調の信号Ｕ１は、片側波復調により上側波のみを復調した音声信号ＳにビートノイズＢ２を帯びたものとなる。よって、上側波復調部１４からは信号Ｕ１＝（Ｓ＋Ｂ２）が出力される。さらに、反転回路２１を通して位相反転させることにより、信号−Ｕ１＝（−Ｓ−Ｂ２）を得る。
【００３１】
また、下側波復調部（ＬＳＢ  ＤＥＭ）１５による下側波復調の信号Ｌ１は、片側波復調により下側波のみを復調した音声信号ＳにビートノイズＢ１を帯びたものとなる。よって、下側波復調部１５からは信号Ｌ１＝（Ｓ＋Ｂ１）が出力される。さらに、反転回路２３を通して位相反転させることにより、信号−Ｌ１＝（−Ｓ−Ｂ１）を得る。
【００３２】
次に、加算器１６によって信号Ｄ１と信号−Ｕ１とを加算することにより、ビートノイズＢ２を抽出する。また、加算器１７によって信号Ｄ１と信号−Ｌ１とを加算することにより、ビートノイズＢ１を抽出する。
加算器１６の出力の信号Ｕ２は、
Ｕ２＝−Ｕ１＋Ｄ１＝（−Ｓ−Ｂ２）＋（Ｓ＋Ｂ１＋Ｂ２）＝Ｂ１
となる。
加算器１７の出力の信号Ｌ２は、
Ｌ２＝−Ｌ１＋Ｄ１＝（−Ｓ−Ｂ１）＋（Ｓ＋Ｂ１＋Ｂ２）＝Ｂ２
となる。
【００３３】
このように、包絡線復調信号と、片側波復調によりそれぞれ復調した上側波復調信号又は下側波復調信号との差分を得ることによって、上側波と下側波のそれぞれのビートノイズのノイズ成分のみを抽出できる。
【００３４】
さらに、反転回路２２を通して位相反転させることにより、信号−Ｕ２＝−Ｂ１を得る。また、反転回路２４を通して位相反転させることにより、信号−Ｌ２＝−Ｂ２を得る。そして、加算器１８によって信号Ｄ１と、信号−Ｕ２及び信号−Ｌ２とを加算することにより、音声信号Ｓのみを抽出する。
加算器１８の出力の信号Ｄ２は、
Ｄ２＝Ｄ１−Ｕ２−Ｌ２＝（Ｓ＋Ｂ１＋Ｂ２）−Ｂ１−Ｂ２＝Ｓ
となる。
【００３５】
このように、包絡線復調信号から、上記により抽出した上側波と下側波のノイズ成分を減算することによって、受信波の無線信号の復調信号からビートノイズのみをキャンセルすることができる。
【００３６】
なお、本実施形態の構成を実際の装置に適用する場合、それぞれの処理において必要な処理時間の遅れを吸収する遅延器が必要になるが、ここでは説明が煩雑になるため省略している。
【００３７】
以上の処理によって、復調音声出力として希望波の音声信号Ｓのみを抽出した復調信号を出力する。本実施の形態によれば、元の音声情報に影響を与えずにビートノイズの信号成分のみを排除できるＡＭ受信用ノイズキャンセラを実現することが可能である。
【００３８】
本実施の形態によれば、例えば、電気自動車のモータノイズ、受信機内部のクロックノイズなど、ＡＭラジオ受信機等の受信装置に干渉してビートノイズを発生させるノイズがある条件下で、ビートノイズをキャンセルすることができる。また、例えばモータをＰＷＭ信号によって駆動する場合など、モータに連動して周波数や振幅が変化するノイズ源についても、受信信号に混入するノイズを除去できる。したがって、ＡＭラジオ受信機等を含む受信システムにおいて、音質劣化の少ない良好な希望波の音声信号を出力することができる。
【００３９】
以上のように、本実施の形態の受信装置は、アンテナ３１より受信して入力される受信信号と、局部発振器１２が発生するローカル信号とを混合処理してベースバンド帯に周波数変換する周波数混合器１１を有する。また、周波数混合器１１の出力を包絡線復調する包絡線復調部１３と、周波数混合器１１の出力を片側波復調によって上側波のみを復調する上側波復調部１４と、周波数混合器１１の出力を片側波復調によって下側波のみを復調する下側波復調部１５と、を有する。また、包絡線復調部１３の出力と上側波復調部１４の出力の反転出力とを加算する加算器１６と、包絡線復調部１３の出力と下側波復調部１５の出力の反転出力とを加算する加算器１７と、包絡線復調部１３の出力と、加算器１６の出力の反転出力と、加算器１７の出力の反転出力とを加算し、復調信号として出力する加算器１８とを有する。
【００４０】
上記構成において、包絡線復調の信号と上側波復調の信号の反転出力とを加算することによって、受信信号の下側波に含まれるノイズ成分を抽出できる。また、包絡線復調の信号と下側波復調の信号の反転出力とを加算することによって、受信信号の上側波に含まれるノイズ成分を抽出できる。そして、包絡線復調の信号と、上記抽出した下側波と上側波のそれぞれのノイズ成分の反転出力とを加算することによって、受信信号の包絡線復調の出力から上側波及び下側波に含まれるノイズ成分をキャンセルできる。これにより、受信信号からノイズ成分のみを除去し、希望波の音声信号を抽出した復調信号を出力できる。したがって、ノイズが発生しても受信信号の元の音声情報に影響を与えることなく、ビートノイズの信号成分のみを除去することができるＡＭ受信用ノイズキャンセラを実現できる。
【００４１】
また、本実施の形態の受信システムは、電波の受信信号を入力する受信信号入力部と、受信信号の復調処理を行う復調処理部１０と、復調処理後の信号を音声出力する音声信号出力部と、を有する受信システムである。受信信号入力部は、希望波の電波を受信するアンテナ３１と、受信した信号を増幅する増幅部３２と、を有する。音声信号出力部は、復調処理後の信号を増幅する増幅部３５と、増幅した信号を音声信号として出力するスピーカ３６と、を有する。復調処理部１０は、受信信号入力部から入力される受信信号と、局部発振器１２が発生するローカル信号とを混合処理してベースバンド帯に周波数変換する周波数混合器１１と、周波数混合器１１の出力を包絡線復調する包絡線復調部１３と、周波数混合器１１の出力を片側波復調によって上側波のみを復調する上側波復調部１４と、周波数混合器１１の出力を片側波復調によって下側波のみを復調する下側波復調部１５と、を有する。また、包絡線復調部１３の出力と上側波復調部１４の出力の反転出力とを加算する加算器１６と、包絡線復調部１３の出力と下側波復調部１５の出力の反転出力とを加算する加算器１７と、包絡線復調部１３の出力と、加算器１６の出力の反転出力と、加算器１７の出力の反転出力とを加算し、復調信号として出力する加算器１８と、を有する。
【００４２】
これにより、受信信号からノイズ成分のみを除去し、希望波の音声信号を抽出した復調信号を出力できる。したがって、ノイズが発生しても受信信号の元の音声情報に影響を与えることなく、ビートノイズの信号成分のみをキャンセル可能であり、音質劣化の少ない良好な音声信号を出力できる受信システムを実現可能となる。
【００４３】
また、本実施の形態の受信方法は、入力される受信信号と、局部発振器１２が発生するローカル信号とを周波数混合器１１により混合処理してベースバンド帯に周波数変換し、
【００４４】
周波数混合器１１の出力を包絡線復調部１３により包絡線復調する。また、周波数混合器１１の出力を上側波復調部１４により上側波のみを片側波復調によって復調し、周波数混合器１１の出力を下側波復調部１５により下側波のみを片側波復調によって復調する。また、包絡線復調部１３の出力と上側波復調部１４の出力の反転出力とを加算器１６により加算し、包絡線復調部１３の出力と下側波復調部１５の出力の反転出力とを加算器１７により加算する。また、包絡線復調部１３の出力と、加算器１６の出力の反転出力と、加算器１７の出力の反転出力とを加算器１８により加算し、復調信号として出力する。
【００４５】
これにより、受信信号からノイズ成分のみを除去し、希望波の音声信号を抽出した復調信号を出力できるため、ノイズが発生しても受信信号の元の音声情報に影響を与えることなく、ビートノイズの信号成分のみをキャンセル可能となる。
【００４６】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施形態における各構成要素を任意に組み合わせてもよい。
【産業上の利用可能性】
【００４７】
本開示は、ノイズが発生しても元の音声情報に影響を与えることなく、ノイズのみを除去することができる受信装置、受信方法、及び受信システムとして有用である。
【符号の説明】
【００４８】
１０  復調処理部
１１  周波数混合器
１２  局部発振器
１３  包絡線復調部
１４  上側波復調部
１５  下側波復調部
１６、１７、１８  加算器
２１、２２、２３、２４  反転回路
３１  アンテナ
３２  増幅部
３３  ＡＤコンバータ
３４  ＤＡコンバータ
３５  増幅部
３６  スピーカ
【図１】
2019176447.tif 000003
【図２】
2019176447.tif 000004
【図３】
2019176447.tif 000005
【図４】
2019176447.tif 000006